(57)【特許請求の範囲】
【請求項１】
ボダイジュ、ユッカ及び月桃から選ばれる１種又は２種以上の抽出物を有効成分とするダニアレルゲン不活性化剤を添着したことを特徴とするフィルター。  
【発明の詳細な説明】
【技術分野】
【０００１】
本発明は、イチョウ葉、ボダイジュ、ユッカ、月桃のそれぞれの抽出物によりダニ蛋白性アレルゲン物質を吸着し、吸着したアレルゲン物質のアレルギー活性を不活化させる抗アレルゲン繊維に関する。
【背景技術】
【０００２】
近年、生活環境の変遷と共に住居内性ダニ類の繁殖が助長され、喘息、アトピー性皮膚炎あるいはアレルギー性鼻炎などのアレルギー疾患の原因物質の存在が顕在化している。
【０００３】
特に、ヤケヒョウヒダニ、ケナガコナダニあるいはコナヒョウヒダニなどのダニ類は、畳、絨毯などの敷物類や毛布、布団などの寝具などに生息し増殖しており、このようなダニ類の駆除はアレルギー疾患を持つ人たちばかりでなく、一般の家庭においても高い関心が持たれている(非特許文献１、２参照)。
【０００４】
これまで、ダニなどのアレルゲンを不活性化するためにスプレー（特許文献1参照）や、フィルター（特許文献2参照）を用い、熱や酸（特許文献3参照）、植物エキス（特許文献４参照）によりアレルゲンを不活性化させることが知られていたが、いずれも十分なものではなかった。
【０００５】
【特許文献１】特開2002−128659号
【特許文献２】特開2000−5531号
【特許文献３】特開2003−180865号
【特許文献４】特開2002−128680号
【非特許文献１】京都府衛公研年報  第35号  P95、1990年
【非特許文献２】Jpn.J.Environ.Entomol.Zoo.13(4)231、2002年
【発明の開示】
【発明が解決しようとする課題】
【０００６】
本発明は、安全性の高い食用可能な天然物の中から、ダニアレルゲンを不活性化する物質を見出し、それを有効成分として繊維、不織布、紙、フィルター等を提供すること目的とする。
【課題を解決するための手段】
【０００７】
本発明者らは、安全性の高い食用可能なイチョウ葉、ボダイジュ、ユッカ、月桃のそれぞれの抽出物がダニアレルゲンの不活性化に有効であることを見出し、本発明を完成させるに至った。
【発明の効果】
【０００８】
本発明の抗アレルゲン繊維は、ダニアレルゲンの不活性化によりダニアレルギーを防止又は予防することができる。
【発明を実施するための最良の形態】
【０００９】
本発明で言うイチョウ葉とは、イチョウ科の学名Ginkgo biloba L.の葉部である。
【００１０】
本発明で言うボダイジュとは、シナノキ科に属する植物として一般的なものには、 フユボダイジュ 、ナツボダイジュ 、オオバボダイジュ 、西洋ボダイジュ 、シナノキ、アメリカシナノキ等があり、その花、花弁部である。
【００１１】
本発明で言うユッカとは、リュウゼツラン科に属する ユッカ （Ｙｕｃｃａ ｓｉｄｉｇｅｒａ及びＹｕｃｃａ ｒｅｃｕｒｖｉｆｏｌｉａ Ｓａｌｉｓｂ）の葉及び根茎などを原材料とする。
【００１２】
本発明で言う月桃（学名：Alpinia nutans または Alpinia speciosa） とは、ショウガ科のAlpinia属に属し、九州南部からインドにまで分布している多年生常緑草木であり、その葉部および／または茎部である。
【００１３】
抽出原料として使用するイチョウ葉、ボダイジュ、ユッカ、月桃は、採取後直ちに乾燥し粉砕したものが適当である。乾燥は、天日で行ってもよいし、通常使用される乾燥機を用いて行ってもよい。 抽出原料は、ヘキサン、ベンゼン等の非極性溶媒によって脱脂等の前処理を施してから使用してもよい。脱脂等の前処理を行うことにより、抽出原料の極性溶媒による抽出処理を効率よく行うことができる。
【００１４】
好適な極性溶媒の具体例としては、水、低級脂肪族アルコール、含水の低級脂肪族アルコール等を例示でき、これらを単独で、又はこれらの２種類以上の混合物として使用することができる。好適な低級脂肪族アルコールの具体例としては、メタノール、エタノール、プロパノール、１,３−ブチレングリコール、グリセリン、プロピレングリコール等を例示することができる。
【００１５】
２種類以上の極性溶媒の混合液を抽出溶媒として使用する場合、その混合比は適宜調整することができる。例えば、水と低級脂肪族アルコールとの混合液を使用する場合には、水と低級脂肪族アルコールとの混合比を７：３〜２：８（重量比）とすることができる。
【００１６】
抽出処理は、 原料に含まれる可溶性成分を抽出溶媒に溶出させ得る限り特に限定されず、常法に従って行うことができる。抽出処理の際には、特殊な抽出方法を採用する必要はなく、室温ないし還流加熱下において任意の装置を使用することができる。
【００１７】
例えば、抽出溶媒を満たした処理槽に抽出原料を投入し、時々攪拌しながら可溶性成分を溶出させる。この際、抽出条件は抽出原料量等に応じて適宜調節し得るが、抽出溶媒量は通常、抽出原料の５〜１５倍量（重量比）あり、抽出時間は通常１〜３時間であり、抽出温度は通常、常温〜９５℃である。
【００１８】
抽出処理により可溶性成分を溶出させた後、ろ過して抽出残渣を除くことによって、抽出液を得ることができる。得られた抽出液は、該抽出液の希釈液若しくは濃縮液、該抽出液の乾燥物、又はこれらの粗精製物若しくは精製物を得るために、常法に従って希釈、濃縮、乾燥、精製等の処理を施してもよい。得られた抽出液はそのままでもダニアレルゲン不活性剤として使用することができるが、濃縮液またはその乾燥物としたものの方が利用しやすい。抽出液の乾燥物を得るに当たっては、吸湿性を改善するためにデキストリン、シクロデキストリン等のキャリアーを添加してもよい。
【００１９】
原料からの抽出物は、特有の匂いと味を有しているため、その生理活性の低下を招かない範囲で脱色、脱臭等を目的とする精製を行うことが可能であるが、繊維、不織布、紙、フィルター等に添着する場合には大量に使用するものではないから、未精製のままでも実用上支障はない。
【００２０】
本発明で言うフィルターとは、空気清浄機、換気装置、マスク、本体の外枠表面に設けてなる空気清浄機などの空気中にアレルギー活性を持ったままでの再飛散を防止することができるという作用を有するもののことを言う。
【００２１】
また、本発明で言う繊維とは、不織布、紙、フィルターなど繊維で製造されているものを言う。
【００２２】
なお、繊維、不織布、紙、フィルター等に含有されるダニアレルゲン不活性化剤は、ダニアレルギーを不活性化させる量であれば特に制限は無いが、0.001質量％〜10質量％、好ましくは０．０１〜３質量％配合されていれば良い。
【実施例】
【００２３】
以下、実施例を示して本発明をさらに詳細に説明する。なお、本実施例で使用する、イチョウ葉はイチョウ葉乾燥エキスＦ（丸善製薬社製）、ボダイジュはボダイジュエキスパウダーＭＦ(丸善製薬社製)、ユッカはユッカ抽出物（丸善製薬社製）、月桃は月桃葉乾燥エキスＦ（丸善製薬社製）のものを用い、デキストリン等のキャリヤーが入っているものは除いたものを試料として用いた。
【００２４】
[実施例１]  ダニアレルゲン不活性化試験
サンドイッチイライザー法により測定を行った。その測定方法とは、コーティング溶液（モノクローナル抗体15E11生化学工業社製  2000 ng/mL）50μLをイライザープレートの各穴に添加し、4℃で一晩静置した。その後、コーティング溶液をひっくり返して除去し、３００μLの０．０５％ツイーン２０を含むＰＢＳ培地で３度洗浄後、２００μLの１％牛血清アルブミン含有ＰＢＳ培地を添加し、室温で1時間静置した。次にイライザープレートを３００μLの０．０５％ツイーン２０を含むＰＢＳ培地で３度洗浄後、各被験試料と２時間接触させたダニアレルゲン溶液５０μLを採取して添加し、室温で２時間静置した。
【００２５】
また、スタンダードとして 精製ダニ抗原rDerfII （生化学工業社製）  を300 ng/mL からPBS（−）で２倍希釈系列を作成し、各々５０μLを添加して、同様に室温で2時間静置した。次にイライザープレートを３００μLの０．０５％ツイーン２０を含むＰＢＳ培地で３度洗浄後、５０００倍に希釈した西洋ワサビペルオキシダーゼ標識抗rDerfII モノクローナル抗体13A4PO（生化学工業社製）を５０μL添加して、室温で２時間静置した。そして、イライザープレートを３００μLの０．０５％ツイーン２０を含むＰＢＳ培地で３度洗浄後、０．３mg/mLのABTS溶液100μLを添加して室温で発色させ、２０〜３０分反応後にミキシングさせ、マイクロプレートリーダーにより４０５ｎｍの吸光度を測定した。
【００２６】
スタンダードの吸光度から得られる検量線を用いて試料のrDerfII モノクローナル抗体濃度を測定する。その結果を表1に示す。
【００２７】
[表１]  不活性化率（％）
試  料 試料濃度（質量％） 不活性化率（％）
ボダイジュエキス            ２．５              ９１．３
月桃エキス                  ２．５              ８６．０
ユッカエキス                ２．５              ５５．６
イチョウ葉エキス            ５．０              ８９．４
【００２８】
[実施例２]  不織布試験
皮膚外用不織布にイチョウ葉エキス2 g/m2、4 g/m2 を付着させ、それぞれ８個ずつを８ mm2の大きさに切り、４８ 穴プレートの底に置いて、1 穴当たり３００μL ずつPBS溶液に溶解した ダニアレルゲン溶液（精製ダニ抗原rDerfII 500 ng/mL ）を添加し、2 時間室温に静置した。静置後、50μLを採取し、その中に存在するダニアレルゲン濃度と不織布のみ（ブランク）のダニアレルゲンの濃度を実施例１と同様にサンドイッチイライザー法により定量した。
【００２９】
その結果を表２に示す。
[表２]  不織布試験のダニアレルゲン濃度(ng/mL)
試  料 ダニアレルゲン濃度(ng/mL)
ブランク                       １５８．３
２ g/m2                        ６５．２
４ g/m2                        ６９．４
【００３０】
[実施例３]  フィルター試験
空気清浄用フィルターに月桃エキス2 g/m2、4 g/m2 を付着させ、それぞれ８個ずつを８ mm2の大きさに切り、４８ 穴プレートの底に置いて、1 穴当たり３００ μL ずつPBS溶液に溶解した ダニアレルゲン溶液（精製ダニ抗原rDerfII 500 ng/mL ）を添加し、2 時間室温に静置した。静置後、50μLを採取し、その中に存在するダニアレルゲン濃度と空気清浄用フィルターのみ（ブランク）のダニアレルゲンの濃度を実施例１と同様にサンドイッチイライザー法により定量した。
【００３１】
その結果を表３に示す。
[表３]  フィルター試験のダニアレルゲン濃度(ng/mL)
試  料 ダニアレルゲン濃度(ng/mL)
ブランク                      ２５７．１
2 g/m2                         ７８．５
4 g/m2                         ７３．１